(57)【特許請求の範囲】
【請求項１】
アンテナで受信した受信信号から、受信強度信号を求めて出力する検出部と、
前記受信強度信号に基づいて、使用する周波数帯域を、複数の異なる計測モード毎に、それぞれ異なる周波数帯域幅で分割して、分割された複数の周波数帯域内で走査された周波数または想定する複数の通信方式の周波数について電波強度を検出する処理部と、
検出した受信強度の、分割された周波数帯域毎および電波強度毎の出現数を集計し、電波強度の最大値、平均値、出現数の最も多い電波強度、２番目に出現数の多い電波強度の出現パターンに基づいて、分割された周波数帯域毎に電波種別を判定する判定部と、
を備えたことを特徴とする電波種別判定システム。
【請求項２】
前記検出部は、
前記アンテナからの受信信号を増幅するＲＦ増幅器と、
増幅された受信信号を中間周波数に変換するミキサと、
前記処理部からの制御により発振周波数を変化させる局部発振器と、
前記処理部からの制御により検出する周波数帯域幅を変化させる帯域通過フィルタと、
前記帯域通過フィルタを通過した受信信号をデジタル変換するＡ／Ｄ変換回路と、を有し、
前記処理部は、
少なくとも１回の計測周期毎に、電波強度を検出しようとするあらかじめ定められた周波数帯域を、あらかじめ定められた第１周波数帯域幅で分割して得た複数の周波数帯域で周波数を走査して電波強度を検出し、
前記第１周波数帯域幅とは異なる第２周波数帯域幅で分割して得た複数の周波数帯域で周波数を走査して電波強度を検出し、
前記電波強度を検出しようとするあらかじめ定められた周波数帯域内で、第１周波数偏移分離散した複数の周波数帯域で周波数を走査して電波強度を検出し、
前記電波強度を検出しようとするあらかじめ定められた周波数帯域内で、第１周波数偏移分とは異なる第２周波数偏移分離散した複数の周波数帯域で周波数を走査して電波強度を検出し、
当該計測周期で検出された電波強度を含む複数の計測周期で検出された電波強度から、最大の電波強度を分割された周波数帯域毎に算出し、
前記判定部は、
検出した電波強度の、分割された周波数帯域毎および電波強度毎の出現数を算出し、
分割された周波数帯域毎に算出した出現数を、分割された複数の周波数帯域で平均化し、
分割された複数の周波数帯域で平均化した出現数をスムージングし、
スムージングした出現数から、各平均化後の、分割された周波数帯域毎に出現数の最も多いレベル１の電波強度および２番目に出現数の多いレベル２の電波強度を示す値を算出し、
算出された、分割された周波数帯域毎の電波強度の最大値、平均値、レベル１およびレベル２の出現パターンから、前記電波強度を検出しようとするあらかじめ定められた周波数帯域全体の電波種別を判定し、
算出された、分割された周波数帯域毎の電波強度の最大値、平均値、レベル１およびレベル２の出現パターンから、分割された周波数帯域毎の電波種別を判定する
ことを特徴とする請求項１に記載の電波種別判定システム。
【請求項３】
前記判定部は、あらかじめ設定した電波強度の最大値、平均値、レベル１およびレベル２の電波種別の判定条件により想定する電波種別を判定する
ことを特徴とする請求項２に記載の電波種別判定システム。
【請求項４】
前記判定部は、
異なる周波数帯域幅で分割された複数の周波数帯域内または異なる周波数偏移分で離散する周波数帯域内を周波数が走査を走査することで得られた一定時間の電波強度信号から、分割された複数の周波数帯域毎の出現数を算出し、
算出した出現数を分割された複数の周波数帯域で平均化し、
平均化した出現数から、分割された周波数帯域毎の電波強度の最大値、平均値、出現数の最も多い電波強度値および２番目に出現数の多い電波強度値を算出し、
分割された周波数帯域毎の最大値、平均値、出現数の最も多い電波強度値および２番目に出現数の多い電波強度値の出現パターンから電波種別判定を行う
ことを特徴とする請求項１に記載の電波種別判定システム。
【請求項５】
前記判定部は、さらに、
対象とする周波数帯域全体について、あらかじめ設定した電波種別毎の判定しきい値により各電波種別を判定し、
この判定結果に基づいて、分割された複数の周波数帯域毎に、あらかじめ設定した電波種別毎の判定しきい値により各電波種別を判定する
ことを特徴とする請求項１から請求項４までの何れか１項に記載の電波種別判定システム。
【請求項６】
アンテナで受信した受信信号から、受信強度信号を求めて出力する検出ステップと、
前記受信強度信号に基づいて、使用する周波数帯域を、複数の異なる計測モード毎に、それぞれ異なる周波数帯域幅で分割して、分割された複数の周波数帯域内で走査された周波数または想定する複数の通信方式の周波数について電波強度を検出する処理ステップと、
検出した受信強度の、分割された周波数帯域毎および電波強度毎の出現数を集計し、電波強度の最大値、平均値、出現数の最も多い電波強度、２番目に出現数の多い電波強度の出現パターンに基づいて、分割された周波数帯域毎に電波種別を判定する判定ステップと、
を備えたことを特徴とする電波種別判定方法。
【請求項７】
前記処理ステップは、
少なくとも１回の計測周期毎に、電波強度を検出しようとするあらかじめ定められた周波数帯域を、あらかじめ定められた第１周波数帯域幅で分割して得た複数の周波数帯域で周波数を走査して電波強度を検出するステップと、
前記第１周波数帯域幅とは異なる第２周波数帯域幅で分割して得た複数の周波数帯域で周波数を走査して電波強度を検出するステップと、
前記電波強度を検出しようとするあらかじめ定められた周波数帯域内で、第１周波数偏移分離散した複数の周波数帯域で周波数を走査して電波強度を検出するステップと、
前記電波強度を検出しようとするあらかじめ定められた周波数帯域内で、第１周波数偏移分とは異なる第２周波数偏移分離散した複数の周波数帯域で周波数を走査して電波強度を検出するステップと、
当該計測周期で検出された電波強度を含む複数の計測周期で検出された電波強度から、最大の電波強度を分割された周波数帯域毎に算出するステップと、を含み、
前記判定ステップは、
検出した電波強度の分割された周波数帯域毎および電波強度毎の出現数を算出するステップと、
分割された周波数帯域毎に算出した出現数を、分割された複数の周波数帯域で平均化するステップと、
分割された複数の周波数帯域で平均化した出現数をスムージングするステップと、
スムージングした出現数から、各平均化後の、分割された周波数帯域毎に出現数の最も多いレベル１の電波強度および２番目に出現数の多いレベル２の電波強度を示す値を算出するステップと、
算出された、分割された周波数帯域毎の電波強度の最大値、平均値、レベル１およびレベル２の出現パターンから、前記電波強度を検出しようとするあらかじめ定められた周波数帯域全体の電波種別を判定するステップと、
算出された、分割された周波数帯域毎の電波強度の最大値、平均値、レベル１およびレベル２の出現パターンから、分割された周波数帯域毎の電波種別を判定するステップと、を含む
ことを特徴とする請求項６に記載の電波種別判定方法。
【請求項８】
前記判定ステップは、
異なる周波数帯域幅で分割された複数の周波数帯域内または異なる周波数偏移分で離散する周波数帯域内を周波数が走査を走査することで得られた一定時間の電波強度信号から、分割された複数の周波数帯域毎の出現数を算出するステップと、
算出した出現数を分割された複数の周波数帯域で平均化するステップと、
平均化した出現数から、分割された周波数帯域毎の電波強度の最大値、平均値、出現数の最も多い電波強度値および２番目に出現数の多い電波強度値を算出するステップと、
分割された周波数帯域毎の最大値、平均値、出現数の最も多い電波強度値および２番目に出現数の多い電波強度値の出現パターンから電波種別判定を行うステップと、を含む
ことを特徴とする請求項６に記載の電波種別判定方法。
【発明の詳細な説明】
【技術分野】
【０００１】
この発明は、通信システムにおいて電波を検出し、検出した電波の種別を判定する電波種別判定システムおよび電波種別判定方法に関する。
【背景技術】
【０００２】
通信システムにおいては、良好な通信状態を確立するために、使用可能な帯域内の干渉電波を検出し、複数のチャンネルの干渉電波の強度を計測して、最もＳ／Ｎ比の高いチャンネルを選択する方法が用いられている。
【０００３】
このようなシステムとして、分配手段、ＦＦＴ変換器、位相差検出手段、記憶手段および信号抽出器を備えた電波監視装置が知られている（例えば、特許文献１参照）。この電波監視装置において、分配手段は、受信電波信号を同相成分と直交成分とに分配する。ＦＦＴ変換器は、当該分配した同相成分と直交成分とを高速フーリエ変換処理する。位相差検出手段は、ＦＦＴ変換器から出力される同相成分と直交成分とを比較し、受信電波信号の位相差を検出する。記憶手段は、ＦＦＴ変換器から出力された時刻毎の周波数スペクトルであって、ピークレベルの周波数値が存在する周波数スペクトルを記憶する。
【０００４】
また、信号抽出器は、記憶手段に記憶された時刻毎の周波数スペクトルのピークレベルの周波数値の変動帯域幅および出現時間、並びに周波数スペクトルの周波数分布に基づく周波数帯域幅から電波緒元を求め、この電波諸元とあらかじめ設定された目的波の電波諸元とを比較して受信電波信号が目的波か否かを判定するとともに、周波数値の変動帯域幅および出現時間、並びに周波数スペクトルの周波数分布に基づく周波数帯域幅と位相差検出手段により検出した位相差とから受信電波信号の変調方式を識別する。
【先行技術文献】
【特許文献】
【０００５】
【特許文献１】特許第３９０３８１４号公報
【発明の概要】
【発明が解決しようとする課題】
【０００６】
しかしながら、従来技術には、以下のような課題がある。
従来の電波監視装置において、変調方式や帯域幅が異なる通信方式の電波を確実に検出し、電波種別を判定することで干渉源を特定して、最適なチャンネルを選択するためには、高速フーリエ変換等が可能な高い処理能力を有する信号処理器が必要になるという問題がある。
【０００７】
この発明は、上記のような課題を解決するためになされたものであり、高い処理能力を有しない信号処理器を用いた場合であっても、種々の干渉電波の干渉源を特定して確実に電波種別を判定することができるとともに、最適な通信状態を確立することができる電波種別判定システムおよび電波種別判定方法を得ることを目的とする。
【課題を解決するための手段】
【０００８】
この発明に係る電波種別判定システムは、アンテナで受信した受信信号から、受信強度信号を求めて出力する検出部と、受信強度信号に基づいて、使用する周波数帯域を、複数の異なる計測モード毎に、それぞれ異なる周波数帯域幅で分割して、分割された複数の周波数帯域内で走査された周波数または想定する複数の通信方式の周波数について電波強度を検出する処理部と、検出した受信強度の、分割された周波数帯域毎および電波強度毎の出現数を集計し、電波強度の最大値、平均値、出現数の最も多い電波強度、２番目に出現数の多い電波強度の出現パターンに基づいて、分割された周波数帯域毎に電波種別を判定する判定部とを備えたものである。
【０００９】
この発明に係る電波種別判定方法は、アンテナで受信した受信信号から、受信強度信号を求めて出力する検出ステップと、受信強度信号に基づいて、使用する周波数帯域を、複数の異なる計測モード毎に、それぞれ異なる周波数帯域幅で分割して、分割された複数の周波数帯域内で走査された周波数または想定する複数の通信方式の周波数について電波強度を検出する処理ステップと、検出した受信強度の、分割された周波数帯域毎および電波強度毎の出現数を集計し、電波強度の最大値、平均値、出現数の最も多い電波強度、２番目に出現数の多い電波強度の出現パターンに基づいて、分割された周波数帯域毎に電波種別を判定する判定ステップとを備えたものである。
【発明の効果】
【００１０】
この発明に係る電波種別判定および電波種別判定方法によれば、検出部（ステップ）は、アンテナで受信した受信信号から、受信強度信号を求めて出力し、処理部（ステップ）は、受信強度信号に基づいて、使用する周波数帯域を異なる帯域幅でそれぞれ分割して、複数の帯域内で走査された周波数または想定する複数の通信方式の周波数について電波強度を検出し、判定部（ステップ）は、検出した受信強度の周波数帯域毎および電波強度毎の出現数を集計し、電波強度の最大値、平均値、出現数の最も多い電波強度、２番目に出現数の多い電波強度の出現パターンに基づいて、帯域毎に電波種別を判定する。
そのため、高い処理能力を有しない信号処理器を用いた場合であっても、種々の干渉電波の干渉源を特定して確実に電波種別を判定することができるとともに、最適な通信状態を確立することができる電波種別判定システムおよび電波種別判定方法を得ることができる。
【図面の簡単な説明】
【００１１】
【図１】この発明の実施の形態１に係る電波種別判定システムを示すブロック構成図である。
【図２】この発明の実施の形態１に係る電波種別判定システムの処理部の動作を示す説明図である。
【図３】この発明の実施の形態１に係る電波種別判定システムの判定部の動作を示すフローチャートである。
【図４】この発明の実施の形態１に係る電波種別判定システムにおける第１〜第４計測モードの受信帯域毎および電波強度値毎の出現数の保存例を示す説明図である。
【図５】この発明の実施の形態１に係る電波種別判定システムにおける第１〜第４計測モードの受信帯域毎および電波強度値毎の出現数を、帯域数ｎ個からｍ個に平均化した例を示す説明図である。
【図６】この発明の実施の形態１に係る電波種別判定システムにおける出現数データのスムージング処理を示す説明図である。
【図７】この発明の実施の形態１に係る電波種別判定システムにおける出現数の多い電波強度の検出処理を示す説明図である。
【図８】この発明の実施の形態１に係る電波種別判定システムにおける帯域毎の最大値、平均値、レベル１およびレベル２の電波強度値の保存データの例を示す説明図である。
【図９】この発明の実施の形態１に係る電波種別判定システムにおける全帯域での電波種別の判定しきい値の例を示す説明図である。
【図１０】この発明の実施の形態１に係る電波種別判定システムにおける帯域毎の電波種別の判定しきい値の例を示す説明図である。
【発明を実施するための形態】
【００１２】
以下、この発明に係る電波種別判定システムおよび電波種別判定方法の好適な実施の形態につき図面を用いて説明するが、各図において同一、または相当する部分については、同一符号を付して説明する。
【００１３】
実施の形態１．
図１は、この発明の実施の形態１に係る電波種別判定システムを示すブロック構成図である。図１において、この電波種別判定システムは、アンテナ１、検出部１０、処理部２０および判定部３０を備えている。
【００１４】
検出部１０は、アンテナ１から入力される受信信号から、受信強度信号２１０を求めて処理部２０に出力する。処理部２０は、検出部１０から入力される受信強度信号２１０から、周波数制御信号２２０および帯域幅制御信号２３０を求めて検出部１０に出力するとともに、帯域毎受信強度信号２４０を求めて判定部３０に出力する。判定部３０は、処理部２０から入力される帯域毎受信強度信号２４０から、電波種別の判定および通信に最適な帯域を選定する。
【００１５】
次に、検出部１０の機能について説明する。
ここで、検出部１０は、ＲＦ増幅器１１０、局部発振器１２０、ミキサ１３０、帯域通過フィルタ１４０およびＡ／Ｄ変換回路１５０を有している。ＲＦ増幅器１１０は、アンテナ１からの受信信号を、検出に必要なレベルまで増幅してミキサ１３０に出力する。
【００１６】
局部発振器１２０は、処理部２０からの周波数制御信号２２０に応じた周波数の信号を発振する。ミキサ１３０は、ＲＦ増幅器１１０からの増幅された受信信号を、局部発振器１２０からの信号に応じた中間周波数帯の受信信号に変換して帯域通過フィルタ１４０に出力する。
【００１７】
帯域通過フィルタ１４０は、中間周波数帯の信号に変換された受信信号に対して、処理部２０からの帯域幅制御信号２３０に基づいて帯域を制限し、Ａ／Ｄ変換回路１５０に出力する。Ａ／Ｄ変換回路１５０は、帯域が制限された受信信号をデジタル変換し、受信強度信号２１０として処理部２０に出力する。
【００１８】
続いて、処理部２０の機能について説明する。
処理部２０は、あらかじめ設定された周波数帯域の下限値から上限値までの電波強度を順次検出するために、周波数制御信号２２０を局部発振器１２０に出力する。また、処理部２０は、受信強度信号２１０の帯域幅を設定するための帯域幅制御信号２３０を帯域通過フィルタ１４０に出力する。これにより、設定された帯域での受信強度信号２１０を得ることができる。
【００１９】
なお、電波強度を検出する際に走査される帯域幅を切り替えつつ、周波数走査する際の周波数変化ステップを変化させることにより、複数の走査パターンを設定することができる。このような処理によって得られた検出周波数範囲内の各周波数の帯域毎受信強度信号２４０は、判定部３０に出力される。
【００２０】
図２は、この発明の実施の形態１に係る電波種別判定システムの処理部２０の動作を示す説明図である。ここでは、処理部２０により複数の走査パターンで周波数走査を実行し、電波強度を検出する概念を示している。なお、処理部２０は、電波強度の計測を行う際に、検出を想定する通信方式のバースト波に合わせた受信帯域と強度計測時間とが設定された複数の計測モードを有している。
【００２１】
図２において、第１計測モードでは、所定の第１帯域幅Ｘ１を設定し、電波強度を検出する周波数帯域を第１帯域幅Ｘ１単位で複数の帯域に分割する。また、中心周波数の最も小さい帯域から、中心周波数の最も大きい帯域へと順次帯域を移しながら、帯域内の周波数を変化させて電波強度を検出する。
【００２２】
続いて、第２計測モードでは、第１帯域幅Ｘ１とは異なる所定の第２帯域幅Ｘ２を設定し、電波強度を検出する周波数帯域を第２帯域幅Ｘ２単位で複数の帯域に分割する。また、中心周波数の最も小さい帯域から、中心周波数の最も大きい帯域へと順次帯域を移しながら、帯域内の周波数を変化させて電波強度を検出する。
【００２３】
次に、第３計測モードでは、所定の第３帯域幅Ｘ３、想定する通信方式での最も小さい第１周波数Ｈ１、および想定する通信方式の第１周波数偏移分Ｙ１を設定する。また、第１周波数Ｈ１を中心周波数とする第３帯域幅Ｘ３の帯域から、第１周波数偏移分Ｙ１に応じて、中心周波数の最も大きい帯域へと順次帯域を移しながら、帯域内の周波数を変化させて電波強度を検出する。
【００２４】
続いて、第４計測モードでは、所定の第４帯域幅Ｘ４、想定する通信方式での最も小さい第２周波数Ｈ２、および想定する通信方式の第２周波数偏移分Ｙ２を設定する。また、第２周波数Ｈ２を中心周波数とする第４帯域幅Ｘ４の帯域から、第２周波数偏移分Ｙ２に応じて、中心周波数の最も大きい帯域へと順次帯域を移しながら、帯域内の周波数を変化させて電波強度を検出する。
【００２５】
ここで、第１計測モードおよび第２計測モードでの電波強度の検出は、想定する通信方式の変調内容に最適な帯域幅および検出時間を設定しておき、第３計測モードおよび第４計測モードでの電波強度の検出は、周波数を順次変化しながら通信する通信方式の変調内容および周波数を想定し、検出に最適な帯域幅および検出時間並びに周波数を設定しておくことで、複数の検出周波数範囲の通信方式に対応することができる。
【００２６】
なお、図２では、第１計測モードから第４計測モードまでの４種類の計測モードを設定する場合の電波強度検出の概念を示したが、これに限定されず、検出する周波数帯域内で想定される通信方式が多い場合には、さらに計測モードを追加することにより、多くの通信方式に対応することができる。
【００２７】
次に、判定部３０の機能について説明する。
判定部３０は、無線ＬＡＮ等の無線通信を行う帯域を選択するための電波種別を判定する部分であり、処理部２０からの帯域毎受信強度信号２４０に基づいて設定された検出周波数範囲内での干渉電波が存在しない帯域を選定することで、通信に用いる周波数を変更する。
【００２８】
このとき、判定部３０は、処理部２０からの帯域毎受信強度信号２４０のうち、電波検出時の複数の帯域と、複数の周波数ステップによる複数の走査パターンに応じた電波強度の検出結果とを統合して得られた各周波数帯域の電波強度に基づいて、電波種別を判定する。
【００２９】
図３は、この発明の実施の形態１に係る電波種別判定システムの判定部３０の動作を示すフローチャートである。
まず、第１〜第４計測モードの４種類の計測モードで、検出対象とする周波数範囲の電波強度を、受信帯域Ｘ１〜Ｘ４でそれぞれ計測する（ステップＳ１０１）。なお、このステップＳ１０１は、上述した処理部２０の動作である。
【００３０】
続いて、ステップＳ１０１で計測した４種類の計測モードの電波強度の値を保存する（ステップＳ１０２）。
次に、第１〜第４計測モードの４種類の計測モードで計測した電波強度の値から、受信帯域毎および電波強度値毎の出現数を集計する（ステップＳ１０３）。
【００３１】
続いて、第１〜第４計測モードについて、設定した周期分の計測を行ったか否かを判定する（ステップＳ１０４）。
ステップＳ１０４において、設定した周期分の計測を行っていない（すなわち、Ｎｏ）と判定された場合には、ステップＳ１０１に移行する。
【００３２】
一方、ステップＳ１０４において、設定した周期分の計測を行った（すなわち、Ｙｅｓ）と判定された場合には、第１〜第４計測モードの４種類の計測モードで計測した電波強度の値から集計した出現数を保存する（ステップＳ１０５）。ここで、第１〜第４計測モードにおける受信帯域毎および電波強度値毎の出現数の保存例を図４に示す。
【００３３】
次に、第１〜第４計測モードの４種類の計測モードで計測した電波強度の値から集計した出現数のデータに基づいて、受信帯域毎の最大値を算出して保存する（ステップＳ１０６）。
【００３４】
続いて、第１〜第４計測モードの４種類の計測モードで計測した電波強度の値から集計した出現数のデータに基づいて、帯域数をｎ個からｍ個に平均化する（ステップＳ１０７）。ここで、平均化後の出現数のデータの例を図５に示す。
【００３５】
次に、第１計測モードおよび第２計測モードでの電波強度値の出現数データを、ｍ個の帯域毎にスムージング処理を行う（ステップＳ１０８）。ここで、スムージング処理の概要を図６に示す。
【００３６】
続いて、第１〜第４計測モードの４種類の計測モードで計測した電波強度の値から、ｍ個の帯域毎に電波強度値の最大値および平均値を算出し、出現数とともに保存する（ステップＳ１０９）。
【００３７】
次に、第１計測モードおよび第２計測モードのスムージング処理後の電波強度値から、出現数の最も多い電波強度（レベル１）と、２番目に出現数の多い電波強度（レベル２）を帯域毎に検出する（ステップＳ１１０）。ここで、帯域毎のレベル１およびレベル２の電波強度値の検出処理の概要を図７に示し、帯域毎の最大値、平均値、レベル１およびレベル２の電波強度値の保存データの例を図８に示す。
【００３８】
続いて、電波種別Ａ〜Ｆについて、ｍ個の全帯域において、電波種別の条件に当てはまるかを順次判定する（ステップＳ１１１）。ここで、全帯域での電波種別の判定しきい値の例を図９に示す。
【００３９】
次に、当該電波種別の判定条件に適合する電波種別が存在するか否かを判定する（ステップＳ１１２）。
ステップＳ１１２において、判定条件に適合する電波種別が存在しない（すなわち、Ｎｏ）と判定された場合には、ステップＳ１１１に移行する。
【００４０】
一方、ステップＳ１１２において、判定条件に適合する電波種別が存在する（すなわち、Ｙｅｓ）と判定された場合には、適合した電波種別について、該当ありとして記録する（ステップＳ１１３）。
【００４１】
続いて、電波種別Ａ〜Ｆの全てについて判定が終了したか否かを判定する（ステップＳ１１４）。
ステップＳ１１４において、電波種別Ａ〜Ｆの全てについて判定が終了していない（すなわち、Ｎｏ）と判定された場合には、ステップＳ１１１に移行する。
【００４２】
一方、ステップＳ１１４において、電波種別Ａ〜Ｆの全てについて判定が終了した（すなわち、Ｙｅｓ）と判定された場合には、電波種別Ａ〜Ｇについて、ｍ個の帯域のそれぞれにおいて、電波種別の条件に当てはまるかを順次判定する（ステップＳ１１５）。ここで、それぞれの帯域での電波種別の判定しきい値の例を図１０に示す。
【００４３】
次に、ｍ個の帯域のそれぞれについて、当該電波種別の判定条件に適合する電波種別が存在するか否かを判定する（ステップＳ１１６）。
ステップＳ１１６において、判定条件に適合する電波種別が存在しない（すなわち、Ｎｏ）と判定された場合には、ステップＳ１１５に移行する。
【００４４】
一方、ステップＳ１１６において、判定条件に適合する電波種別が存在する（すなわち、Ｙｅｓ）と判定された場合には、適合した電波種別について、それぞれの帯域毎に該当ありとして記録する（ステップＳ１１７）。
【００４５】
続いて、電波種別Ａ〜Ｇの全てについて判定が終了したか否かを判定する（ステップＳ１１８）。
ステップＳ１１８において、電波種別Ａ〜Ｇの全てについて判定が終了していない（すなわち、Ｎｏ）と判定された場合には、ステップＳ１１５に移行する。
【００４６】
一方、ステップＳ１１８において、電波種別Ａ〜Ｇの全てについて判定が終了した（すなわち、Ｙｅｓ）と判定された場合には、それぞれの帯域の最大値および平均値、並びに電波種別の判定結果を出力して（ステップＳ１１９）、図３の処理を終了する。
【００４７】
以上のように、実施の形態１によれば、検出部は、アンテナで受信した受信信号から、受信強度信号を求めて出力し、処理部は、受信強度信号に基づいて、使用する周波数帯域を異なる帯域幅でそれぞれ分割して、複数の帯域内で走査された周波数または想定する複数の通信方式の周波数について電波強度を検出し、判定部は、検出した受信強度の周波数帯域毎および電波強度毎の出現数を集計し、電波強度の最大値、平均値、出現数の最も多い電波強度、２番目に出現数の多い電波強度の出現パターンに基づいて、帯域毎に電波種別を判定する。
そのため、高い処理能力を有しない信号処理器を用いた場合であっても、種々の干渉電波の干渉源を特定して確実に電波種別を判定することができるとともに、最適な通信状態を確立することができる電波種別判定システムおよび電波種別判定方法を得ることができる。
【符号の説明】
【００４８】
１  アンテナ、１０  検出部、２０  処理部、３０  判定部、１１０  ＲＦ増幅部、１２０  局部発振器、１３０  ミキサ、１４０  帯域通過フィルタ、１５０  Ａ／Ｄ変換回路、２１０  受信強度信号、２２０  周波数制御信号、２３０  帯域幅制御信号、２４０  帯域毎受信強度信号。
【図１】
0005431541.tif 000002
【図２】
0005431541.tif 000003
【図３】
0005431541.tif 000004
【図４】
0005431541.tif 000005
【図５】
0005431541.tif 000006
【図６】
0005431541.tif 000007
【図７】
0005431541.tif 000008
【図８】
0005431541.tif 000009
【図９】
0005431541.tif 000010
【図１０】
0005431541.tif 000011